(57)【要約】【課題】サッシの室内側表面とパネルとの間に形成される密閉された空気層を断熱層として機能させることにより、冬期等におけるサッシの室内側表面の結露防止を、より安価なコストで、より効率的に行うことができるサッシ用結露防止具を提供する。【解決手段】本発明は、サッシ２に取付けられてサッシ２の室内側表面の結露を防止するサッシ用結露防止具であって、サッシ２の室内側表面に沿った空間１２を形成して配置されるパネル１１を備え、上記空間１２の周縁部を囲繞して密閉された空気層を形成する。【選択図】図２
2010031524.tif 000002
【特許請求の範囲】
【請求項１】
サッシ（２）に取付けられてサッシ（２）の室内側表面の結露を防止するサッシ用結露防止具であって、サッシ（２）の室内側表面に沿った空間（１２）を形成して配置されるパネル（１１）を備え、上記空間（１２）の周縁部を囲繞して密閉された空気層を形成するサッシ用結露防止具。
【請求項２】
上記空間（１２）の周縁部を囲繞して前記空気層を形成するようにサッシ（２）の室内側表面にスペーサ（１３）を固着する請求項１の用結露防止具。
【請求項３】
パネル（１１）を弾性的に変形可能な部材により構成し、サッシ（２）の断面の表面側コーナ角の形状に対応するように上記パネル（１１）を屈曲形成させてなる請求項２のサッシ用結露防止具。
【請求項４】
スペーサ（１３）を介してパネル（１１）をサッシ（２）に取付けた請求項２又は３のサッシ用結露防止具。
【請求項５】
スペーサ（１３）がパネル（１１）に接着されてなる請求項２，３又は４のサッシ用結露防止具。
【請求項６】
スペーサ（１３）が弾性的に変形可能な帯状体をパネル（１１）周縁部を囲むようにループ状に形成してなる請求項２，３，４又は５のサッシ用結露防止具。
【請求項７】
方形状断面の筒状部（２６）の一面がパネル（１１）より構成され、該筒状部（２６）のパネル（１１）との対向側をサッシ（２）の室内側表面と固着し、筒状部（２６）内に密閉された空気層を形成する請求項１のサッシ用結露防止具。
【請求項８】
筒状部（２６）内の開放された両端を充填剤（２９ａ）により閉塞する請求項７のサッシ用結露防止具。
【請求項９】
筒状部（２６）内に乾燥剤（３２）が収容される請求項７又は８のサッシ用結露防止具。
【請求項１０】
筒状部（２６）が合成樹脂により一体成形されてなる請求項７，８又は９のサッシ用結露防止具。
【請求項１１】
パネル（１１）が透明な合成樹脂により構成された請求項１，２，３，４，５，６，７，８，９又は１０のサッシ用結露防止具。
【発明の詳細な説明】
【技術分野】
【０００１】
この発明は、サッシ用結露防止具に関する。
【背景技術】
【０００２】
サッシの室内側表面に密着して固着されるシート状の断熱部材と、断熱材を覆う保護カバーとを備え、サッシの室内側表面の結露を防止する特許文献１に示すサッシ用結露防止具が公知になっている。
【特許文献１】特開２００８−９５３２５号公報
【発明の開示】
【発明が解決しようとする課題】
【０００３】
しかし、上記文献のサッシ用結露防止具は、サッシ室内側表面の結露を防止したい箇所全体を覆うようにシート状の断熱材を設ける必要があり、断熱材の必要量が多くなるため、結露防止コストが高くなるという課題ある。
本発明は、上記課題を解決し、サッシに取付けられてサッシの室内側表面の結露を防止するサッシ用結露防止具において、コストを低く抑えることが可能なサッシ用結露防止具を提供することを目的とする。
【課題を解決するための手段】
【０００４】
上記課題を解決するために本発明のサッシ用結露防止具は、第１に、サッシ２に取付けられてサッシ２の室内側表面の結露を防止するサッシ用結露防止具であって、サッシ２の室内側表面に沿った空間１２を形成して配置されるパネル１１を備え、上記空間１２の周縁部を囲繞して密閉された空気層を形成することを特徴としている。
【０００５】
第２に、上記空間１２の周縁部を囲繞して前記空気層を形成するようにサッシ２の室内側表面にスペーサ１３を固着することを特徴としている。
【０００６】
第３に、パネル１１を弾性的に変形可能な部材により構成し、サッシ２の断面の表面側コーナ角の形状に対応するように上記パネル１１を屈曲形成させてなることを特徴としている。
【０００７】
第４に、スペーサ１３を介してパネル１１をサッシ２に取付けたことを特徴としている。
【０００８】
第５に、スペーサ１３がパネル１１に接着されてなることを特徴としている。
【０００９】
第６に、スペーサ１３が弾性的に変形可能な帯状体をパネル１１周縁部を囲むようにループ状に形成してなることを特徴としている。
【００１０】
第７に、方形状断面の筒状部２６の一面がパネル１１より構成され、該筒状部２６のパネル１１との対向側をサッシ２の室内側表面と固着し、筒状部２６内に密閉された空気層を形成することを特徴としている。
【００１１】
第８に、筒状部２６内の開放された両端を充填剤２９ａにより閉塞することを特徴としている。
【００１２】
第９に、筒状部２６内に乾燥剤３２が収容されることを特徴としている。
【００１３】
第１０に、筒状部２６が合成樹脂により一体成形されてなることを特徴としている。
【００１４】
第１１に、パネル１１が透明な合成樹脂により構成されたことを特徴としている。
【発明の効果】
【００１５】
以上のように構成される本発明のサッシ用結露防止具によれば、サッシの室内側表面とパネルとの間に形成される密閉された空気層が断熱層として機能し、サッシの室内側表面の結露を防止したい箇所全体に断熱材等で覆おう要がないため、冬期等におけるサッシの室内側表面の結露防止を、より安価なコストで、より効率的に、行うことができるという効果がある。
【００１６】
また、上記空間の周縁部を囲繞して前記空気層を形成するようにサッシの室内側表面にスペーサを固着すれば、サッシの室内側表面にシート状の断熱部材を接着する場合のようにサッシの室内側表面と断熱部材との間に形成される隙間から結露するようなことが防止されるという効果がある。
【００１７】
また、パネルを弾性的に変形可能な部材により構成し、サッシの断面の表面側コーナ角の形状に対応するように上記パネルを屈曲形成することにより、色々な形状をなすサッシの様々な箇所の結露を防止できるという効果がある。
【００１８】
さらに、スペーサを介してパネルをサッシに取付けることにより、取付部材を別途設ける必要なくなるため、構造がより簡略化されるという効果がある。
【００１９】
また、スペーサがパネルに接着されることにより、より密閉率の高い空気層を容易に形成できるという効果がある。
【００２０】
一方、方形状断面の筒状部の一面がパネルより構成され、該筒状部のパネルとの対向側をサッシの室内側表面との固着し、筒状部内に密閉された空気層を形成することにより、構成が簡略化され、サッシへの取付作業負担も軽減されるという効果がある。
【００２１】
また、筒状部内の開放された両端を充填剤により閉塞することにより、空気層の密閉率がより高まるという効果がある。
【００２２】
また、筒状部内の乾燥剤が収容されることにより、断熱効果がより高まるという効果がある。
【００２３】
さらに、筒状部が合成樹脂により一体成形されてなることにより、筒状部の製造がより容易になるという効果がある。
【００２４】
なお、パネルが透明な合成樹脂により構成されることにより、サッシの結露を防止したい箇所を目視できるという効果がある。
【発明を実施するための最良の形態】
【００２５】
以下図示する本発明の実施形態について説明する。図１は本発明に係る各種のサッシ用結露防止具１を備えたサッシ２の斜視図であり、図２は図１のＡ−Ａ線断面の構造を示し、図３は図１のＢ−Ｂ線の断面図である。図４は本発明の第１実施形態に係るサッシ用結露防止具１の正面図であり、図５は図４のＡ−Ａ線の拡大断面図である。図６は本発明の第２実施形態に係るサッシ用結露防止具１の要部を展開して示す正面図であり、図７は図６の平面図であり、図８は図６のサッシ用結露防止具１を図２で示すようなサッシ２の縦枠３に屈曲させて設けた使用例の平面図である。図９は本発明の第３実施形態に係るサッシ用結露防止具１を示し、図１０は図９のサッシ用結露防止具１を窓枠サッシに設けた使用例を示す。
【００２６】
上記サッシ２は図１，図２に示すように、左右一対の上下方向の縦枠３とその上下端と中間位置とをそれぞれ連結する左右方向の横枠４と中枠６とからなり、各枠３，４，６で形成される枠区画内に板ガラス７を取付けている。尚、板ガラス７は在来の取付手段によって、各枠３，４，６の内周面に形成した取付溝８に、パッキン９を介し内嵌固定される。
【００２７】
実施形態のサッシ２は建物の窓や出入り口等の開口部に設置される一般的なものを示しており、サッシ用結露防止具１はサッシ２に取付けられて、サッシ２の室内側表面の結露を防止する。そして、第１実施形態に係るサッシ用結露防止具１は上下の横枠４と中枠６に装着し、第２実施形態に係るサッシ用結露防止具１は縦枠３に装着している。
【００２８】
先ず図１〜図５を参照し、中枠６に装着される第１実施形態に係るサッシ用結露防止具１について説明する。このサッシ用結露防止具１はパネル１１を弾性的に変形可能で透明な合成樹脂製の部材により平坦板状に構成し、中枠６を覆う形状と大きさにしている。図２，図４に示すように、サッシ２の室内側表面に沿った空間１２を形成して配置されるパネル１１と、上記空間１２の周縁部を囲繞して密閉された空気層を形成するように、サッシ２の室内側表面に固着されるスペーサ１３とからなる。
【００２９】
図示例のスペーサ１３は弾性的に変形可能な帯状部材とし、パネル１１の周縁部を囲むようにループ状に形成される。図示例のスペーサ１３は図５で示すように、幅が６ミリ程度厚さ３ミリ程度の方形状断面のゴム板材部材としており、一側面をパネル１１側の接着面として予めパネル１１に接着し、他側面をサッシ２側の接着面となして接着部１４を設けている。
【００３０】
接着部１４は両面接着テープによる接着手段や、接着剤を塗布した面に剥離用の剥離紙１６を設けた接着手段にすることができる。またスペーサ１３は予め外周面に断熱用の保護テープ１７を貼着したものであることが望ましい。図示例の保護テープ１７はスペーサ１３が黒いゴム色であることから銀色をなす薄いテープとし、スペーサ１３の外周側に断面視コの字状に貼着している。
【００３１】
以上のように構成されるサッシ用結露防止具１は、例えば中枠６のように１枚状の平坦面に取付ける場合には、剥離紙１６を一側から剥ぎながらスペーサ１３を中枠６に順次貼着する。これによりサッシ用結露防止具１はスペーサ１３の接着部１４の全面を中枠６の表面に接着して取付けることができる。
【００３２】
またサッシ用結露防止具１は、サッシ２の室内側表面とパネル１１との間に密閉された空間１２を形成して空気層を断熱層として機能させる断熱部材にすることができるので、サッシ２の室内側表面にシート状の断熱部材を接着する場合のように、サッシ２の室内側表面と断熱部材との間に形成される隙間から結露するようなことが防止される。
【００３３】
またサッシ２の室内側表面の結露を防止したい箇所全体に断熱部材を接着して覆う場合のように、コストが高くなることも抑制することができる。そして、冬期等にサッシ２の室内側表面が結露することが、より安価なコストでより効率的に防止することができる。
【００３４】
次に図１，図２，図６〜図８を参照し、第２実施形態に係るサッシ用結露防止具１について説明する。尚、前記第１実施形態のものと同様な構成及び作用については説明を省略する。このサッシ用結露防止具１は図６〜図８で示すように、サッシ２の縦枠３の室内側表面に沿った空間１２を形成するように配置されるパネル１１と、縦枠３の正面と左右側面とを囲繞するように屈曲して空気層を形成するように、サッシ２の室内側表面に固着されるスペーサ１３とからなる。
【００３５】
即ち、サッシ用結露防止具１のパネル１１は、縦枠３のコーナ部（コーナ角）に沿う屈曲部（折込部）２１，２２を縦方向に形成しており、その上下両端に沿ってスペーサ１３を接着し取付けている。尚、この実施形態における上下方向の長さは、図１で示すように前記第１実施形態のサッシ用結露防止具１が設置される部分を除いた長さにしている。
【００３６】
これによりサッシ用結露防止具１はパネル１１を屈曲部２１，２２を介して平面視コ字状に屈曲させた状態で、剥離紙１６を剥いだ上下のスペーサ１３をそれぞれ縦枠３の上下端側に接着すると、図２及び図８で示すように、縦枠３とパネル１１との間に空間１２を簡単に形成することができる。
尚、縦枠３とパネル１１の中途に、補助スペーサ１３ａを設けると、上下のスペーサ１３の間でパネル１１の撓み変形を規制して一定の断熱層を維持した空間１２を形成することができる。
【００３７】
この際にパネル１１の左右両側の縦辺２３と縦枠３との間に設けるスペーサ１３ｂは、前記第１実施形態のものと同様に予めパネル１１に設けて使用することができる。この他にパネル１１の装着に先立って、縦枠３の左側面と右側面との所定位置にスペーサ１３ｂ，１３ｂを貼着した状態で、パネル１１を上下のスペーサ１３を縦枠３に接着すると共に、スペーサ１３ｂ，１３ｂに接着する取付け手段にすることができる。なお、この４つのスペーサ１３，１３，１３ｂ，１３ｂを一体のループ状のスペーサ１３として成形してもよい。
【００３８】
この結露防止具１によれば、パネル１１を弾性的に変形可能な部材により構成し、サッシ２の断面の表面側コーナ角の形状に対応するように、上記パネル１１を屈曲形成しスペーサ１３並びにスペーサ１３ｂによって接着することができる。従って、サッシ用結露防止具１は色々な形状をなすサッシ２の様々な箇所に、パネル１１とスペーサ１３（１３ｂ）により密閉率の高い空気層を容易に形成すると共に、空間１２の気密断熱性を高めて結露を防止するため汎用性を向上させることができる。
【００３９】
以上のように各実施形態に係るサッシ用結露防止具１を複数設けたサッシ２は、室内側の全面にパネル１１と各スペーサ１３による空間１２が形成されるので、密閉された空間１２内の空気層により室内の熱がサッシ２の室内側表面に伝熱し難くし、且つ外気温によって冷却されたサッシ温度を室内に直接的に伝熱しないようにすることができ、またサッシ２の室内側表面の結露を簡単に防止することができる。
【００４０】
またサッシ用結露防止具１を備えるサッシ２は、板ガラス７の結露を防止する上で、断熱二重ガラス構造や断熱塗料の塗布又は断熱フィルムの貼付等のガラス断熱手段が施工されることが望ましい。この場合にガラス断熱手段が施工されていない板ガラス７に対し、サッシ用結露防止具１はパネル１１を板ガラス７の全面を覆う大きさにすることにより、パネル１１及びスペーサ１３によりガラス面全体に空気層を形成し結露を防止すると共に、全体の断熱性を簡単に向上させることができる。
【００４１】
またサッシ用結露防止具１の取付作業は、スペーサ１３を介しパネル１１をサッシ２に取付けるので、取付部材を別途設ける必要なく構造がより簡略化され、且つサッシ２を窓枠や建物から取り外すことなく設置したまま行うことができ、既設のサッシ２に対しサッシ用結露防止具１を後付け作業によっても簡単に装着することができる。
【００４２】
この際に、スペーサ１３がパネル１１に接着されることにより、密閉率の高い空気層を容易に形成することができるが、取付作業を既設のサッシ２に対し現物合わせにより行なう際には、加工誤差等によって生じた隙間にはコーキング部材を塗布又は充填すると、空気層の気密性を確保しながら作業をより簡単に行うことができる。
またパネル１１を透明な合成樹脂により構成したサッシ用結露防止具１は、サッシ２の色調を損なうことなく、またサッシ２の結露を防止したい箇所を目視できるという利点がある。
【００４３】
次に図９，図１０を参照し本発明の第３実施形態に係るサッシ用結露防止具１について説明する。このサッシ用結露防止具１は断面を方形状となした筒状部２６を、サッシ２又は窓枠サッシ２ａの設置箇所（室内側表面）毎の長さに形成し、各設置箇所に接着して簡単に設けることができるようにしている。
【００４４】
即ち、上記筒状部２６は一面をパネル１１とし筒状部２６のパネル１１との対向側をサッシの室内側表面と固着させる固着面２７とし、且つパネル１１と固着面２７の左右前後をスペーサ面２８，２９で接続し、筒状部２６内に密閉された空間１２を設けて空気層を形成する。これによりサッシ用結露防止具１の構造を簡略化することができ、また各種のサッシ及び窓枠サッシ２ａ並びに該窓枠サッシ２ａを取付ける木枠部材３１への取付けを簡単にし、取付作業負担を軽減することができる。
【００４５】
上記筒状部２６はパネル１１と固着面２７と左右のスペーサ面２８とを、例えば押し出し成形加工により合成樹脂で一体成形し、長い筒状部２６を各設置箇所毎の長さに切断して形成することができる。そして、所定長に切断された筒状部２６の空間１２に乾燥剤（シリカゲル）３２を所定量収容したのち、筒状部２６内の開放された前後両端を充填剤２９ａによって閉塞することによりを前記スペーサ面２９を形成している。
【００４６】
これによりサッシ用結露防止具１は、前記実施形態のようにサッシ２に接着することができる他、図１０で示すように窓枠サッシ２ａに対しても簡単に取付けることができる。尚、図示例では各サッシ用結露防止具１は、固着面２７を接着剤によって窓枠サッシ２ａの各辺に沿って接着し、この際に筒状部２６の一部を木枠部材３１に沿って一部ラップさせている。
【００４７】
以上のように構成し取付けられるサッシ用結露防止具１は、筒状部２６内の開放された両端を充填剤２９ａにより閉塞するので、空気層の密閉率をより高めることができると共に、乾燥剤３２が収容されることにより、空気層の密閉率がより高まり結露を防止することができる。さらに、筒状部２６を合成樹脂により一体成形していることにより、筒状部２６の製造を容易にすることができる等の利点がある。
【００４８】
なお、第１〜３実施形態のサッシ用結露防止具１は、板ガラス７の室内側表面に設置してもよい。この際の取付手段は前述した通りである。くわえてパネル１１面、サッシ２の室内側表面又は板ガラス７の室内側表面に塗布可能な断面剤を塗り込んで、断熱効果が高めてもよい。
【図面の簡単な説明】
【００４９】
【図１】本発明のサッシ用結露防止具を備えたサッシの全体斜視図である。
【図２】図１のＡ−Ａ線断面図である。
【図３】図１のＢ−Ｂ線断面図である
【図４】本発明の第１実施形態に係るサッシ用結露防止具の正面図である。
【図５】図４のＡ−Ａ線の拡大断面図である。
【図６】本発明の第２実施形態に係るサッシ用結露防止具を一部破断をして示す正面図である。
【図７】図６の平面図である。
【図８】図６のサッシ用結露防止具をサッシの縦枠に装着した状態を示す平面図である。
【図９】本発明の第３実施形態に係るサッシ用結露防止具を一部破断をして示す斜視図である。
【図１０】図９のサッシ用結露防止具の使用例を示す正面図である。
【符号の説明】
【００５０】
１  サッシ用結露防止具
２  サッシ
２ａ  窓枠サッシ
３  縦枠
４  横枠
６  中枠
１１  パネル
１２  空間
１３  スペーサ
２６  筒状部
２９ａ  充填剤
３２  乾燥剤
【図１】
2010031524.tif 000003
【図２】
2010031524.tif 000004
【図３】
2010031524.tif 000005
【図４】
2010031524.tif 000006
【図５】
2010031524.tif 000007
【図６】
2010031524.tif 000008
【図７】
2010031524.tif 000009
【図８】
2010031524.tif 000010
【図９】
2010031524.tif 000011
【図１０】
2010031524.tif 000012